(57)【要約】【課題】半導体素子と電極の線膨張係数の差により生じる応力が半導体素子主面端部に直接伝達されることがないようにして、半導体素子の割れを防止する。【解決手段】素子の側面の厚み方向中間部に厚み方向両端部よりも凹に形成された凹部を有する板状の半導体素子と、前記半導体素子の第一の主面に第一の接合材を介して接合された第一の電極と、前記半導体素子の第二の主面に第二の接合材を介して接合された第二の電極と、前記半導体素子、第一および第二の接合材並びに第一及び第二の電極を封止する樹脂を備え、前記第一の接合材と第一の主面の接合界面、および前記第二の接合材と第二の主面の接合界面のうち少なくとも一方は、接合界面が存在する主面の外周縁から離間した内周側に形成する。【選択図】図１
2013187494.tif 000002
【特許請求の範囲】
【請求項１】
素子の側面の厚み方向中間部に厚み方向両端部よりも凹に形成された凹部を有する板状の半導体素子と、
前記半導体素子の第一の主面に第一の接合材を介して接合された第一の電極と、
前記半導体素子の第二の主面に第二の接合材を介して接合された第二の電極と、
前記半導体素子、第一および第二の接合材並びに第一及び第二の電極を封止する樹脂を備え、
前記第一の接合材と第一の主面の接合界面、および前記第二の接合材と第二の主面の接合界面のうち少なくとも一方は、接合界面が存在する主面の外周縁から離間した内周側に形成されていることを特徴とする半導体装置。
【請求項２】
素子の側面の厚み方向中間部に厚み方向両端部よりも凹に形成された凹部を有する板状の半導体素子と、
前記半導体素子の第一の主面に第一の接合材を介して接合された第一の電極と、
前記半導体素子の第二の主面に第二の接合材を介して接合された第二の電極と、
前記半導体素子、第一および第二の接合材並びに第一及び第二の電極を封止する樹脂を備え、
前記第一の接合材と第一の主面の接合界面、および前記第二の接合材と第二の主面の接合界面のうち少なくとも一方は、接合界面が存在する主面の外周縁から離間した内側に形成され、前記半導体素子の凹に形成された凹部の底部は、前記第一の接合材と第一の主面の接合界面、および前記第二の接合材と第二の主面の接合界面のうちの少なくとも一方よりも外周側に配されていることを特徴とする半導体装置。
【請求項３】
請求項１または２記載の半導体装置において、前記板状の半導体素子は、円形または多角形であること特徴とする半導体装置。
【請求項４】
素子の側面の厚み方向中間部に厚み方向両端部よりも凹に形成された凹部を有する多角形の板状の半導体素子と、
前記半導体素子の第一の主面に第一の接合材を介して接合された第一の電極と、
前記半導体素子の第二の主面に第二の接合材を介して接合された第二の電極とを備え、
前記半導体素子、第一および第二の接合材並びに第一及び第二の電極を封止する樹脂を備え、
前記第一の接合材と第一の主面の接合界面、および前記第二の接合材と第二の主面の接合界面のうち少なくとも一方は、接合界面が存在する主面の角部から離間した内周側に形成されていることを特徴とする半導体装置。
【請求項５】
請求項１ないし４のいずれか１項記載の半導体装置において、前記板状の半導体素子は、四角形または六角形であることを特徴とする半導体装置。
【請求項６】
請求項１ないし４のいずれか１項記載の半導体装置において、前記板状の半導体素子側面と前記封止用の樹脂の間にパッシベーション用の樹脂を配置したこと特徴とする半導体装置。
【請求項７】
請求項６記載の半導体装置において、パッシベーション用の樹脂はポリイミド系の樹脂であることを特徴とする半導体装置。
【請求項８】
請求項７記載の半導体装置において、前記封止用の樹脂はエポキシ樹脂であること特徴とする半導体装置。
【発明の詳細な説明】
【技術分野】
【０００１】
本発明は、半導体装置にかかり、特に、半導体素子に加わる熱応力を緩和することのできる半導体装置に関する。
【背景技術】
【０００２】
車両用回転発電機の出力を整流する半導体装置は、半導体素子、第一の電極および第二の電極並びに半導体素子と前記各電極を接合するはんだを有し、さらにこれらを封止する絶縁性の封止材を備えている。
【０００３】
車両用回転発電機の動作時には、半導体装置には大電流が流れ、半導体素子が発熱し、半導体装置には、２００℃以上の高温になる箇所も発生する。一方、運転停止時には電流も０となるため、半導体装置は周辺温度まで冷却される。
【０００４】
このように、車両用回転発電機の運転、停止に伴い、半導体装置には加熱による膨張と冷却による収縮が繰り返し印加される。このとき、前記半導体素子と第一の電極および第二の電極とでは線膨張係数が異なるため、これらを接合するはんだにはひずみが発生する。
【０００５】
このような車両用回転発電機を長期に渡って使用し、運転と停止を繰り返すと、はんだに疲労による亀裂が発生し、進展する場合がある。前記亀裂が進展すると、最終的には半導体装置は機能停止に至る。
【０００６】
はんだに印加されるひずみを低減するには、半導体素子で発生した熱が周囲に逃げやすい構造を採用し、はんだに印加される温度振幅を小さくすること、あるいは大きな温度振幅が与えられてもはんだに印加される歪みが小さくなる構造を採用することが必要である。
【０００７】
特許文献１には、半導体素子と第一の電極の間、および前記半導体素子と第二の電極の間に、前記半導体素子よりも線膨張係数が大きく、かつ第一の電極および第二の電極よりも線膨張係数が小さい、導電性を有する応力緩衝板を設け、これらをシリコーンゴムにより封止する半導体装置が提案されている。
【０００８】
また、近年では、自動車の電装化の急速な進展に伴い、車両用回転発電機の電力容量は増加傾向にある。これに伴い半導体装置、特に半導体素子の発熱量が増加し、その温度が上昇し、はんだに印加されるひずみも増加すると予想される。従って、従来製品と同等以上の信頼性を確保して行くには、これまで以上にはんだのひずみを抑制する必要がある。
【０００９】
特許文献２には、半導体素子と第一の電極および第二の電極を、柔らかいシリコーンゴムではなく、エポキシ樹脂等の硬い絶縁材で封止する半導体装置が開示されている。この半導体装置では、樹脂のヤング率や線膨脹係数を適切に選択することで、各部材の熱変形を拘束し、はんだのひずみを低減している。この装置では応力緩衝板が不要となるため、熱抵抗が低下し、はんだに加わる温度振幅も小さくなる。このため、ひずみを更に小さくすることができる。
【先行技術文献】
【特許文献】
【００１０】
【特許文献１】米国特許第４３４９８３１号明細書
【特許文献２】特表２０００−５０２８３８号公報
【発明の概要】
【発明が解決しようとする課題】
【００１１】
ところで、樹脂封止型の半導体装置は、半導体素子と第一の電極間および半導体素子と第二の電極間をはんだで接合したあと、半導体素子側面をエッチング処理し、その後樹脂で封止している。前記半導体側面のエッチング処理に伴い、半導体素子側面に後述するように溝状に凹部が形成され、半導体素子の外周部表面には鋭角部が形成される。この鋭角部近傍には、樹脂封止前の熱処理の工程における冷却時に大きな応力が加わる。このため、前記冷却の際に発生する半導体素子の割れを防止することが必要である。
【００１２】
また、はんだとして、低環境負荷の鉛フリーはんだが使用される場合、このはんだは硬度が高いため、半導体素子に加わる応力は更に大きくなる。
【００１３】
本発明は、これらの問題点に鑑みてなされたもので、半導体素子に加わる応力を低減することのできる半導体装置を提供するものである。
【課題を解決するための手段】
【００１４】
本発明は上記課題を解決するため、次のような手段を採用した。
【００１５】
素子の側面の厚み方向中間部に厚み方向両端部よりも凹に形成された凹部を有する板状の半導体素子と、前記半導体素子の第一の主面に第一の接合材を介して接合された第一の電極と、前記半導体素子の第二の主面に第二の接合材を介して接合された第二の電極と、前記半導体素子、第一および第二の接合材並びに第一及び第二の電極を封止する樹脂を備え、前記第一の接合材と第一の主面の接合界面、および前記第二の接合材と第二の主面の接合界面のうち少なくとも一方は、接合界面が存在する主面の外周縁から離間した内周側に形成した。
【発明の効果】
【００１６】
本発明は、以上の構成を備えるため、半導体素子に加わる応力を低減することができ、半導体素子の割れ等を抑制することができる。
【図面の簡単な説明】
【００１７】
【図１】第１の実施形態にかかる半導体装置を説明する図である。
【図２】従来のはんだ付け工程について説明する図である。
【図３】半導体装置のエッチング処理後の断面図である。
【図４】熱処理により冷却される際において各部材に加わる応力を説明する図である。
【図５】割れの生じ易い側の主面についてのみ、接合界面を主面の内部に形成した例を示す図である。
【図６】第２の実施形態を説明する図である。
【図７Ａ】第１および第２の実施形態にかかる半導体装置の平面図の例である。
【図７Ｂ】第１および第２の実施形態にかかる半導体装置の平面図の例である。
【図７Ｃ】第１および第２の実施形態にかかる半導体装置の平面図の例である。
【図７Ｄ】第１および第２の実施形態にかかる半導体装置の平面図の例である。
【図８】第３の実施形態にかかる導体装置の断面図である。
【図９】第４の実施形態を説明する図である。
【発明を実施するための形態】
【００１８】
以下、本発明の実施形態を添付図面を参照しながら説明する。
【００１９】
（実施形態１）
本発明の第１の実施形態について、図１〜５を用いて説明する。図１（ａ）は本発明の第１の実施形態にかかる半導体装置を説明する断面図、図１（ｂ）は図１の半導体素子の側面近傍を拡大して示す図である。
【００２０】
図１に示すように、半導体装置は、半導体素子（整流素子）１と、半導体素子１の第一の主面１ａに第一の接合材２を介して接合された第一の電極３、前記半導体素子１の第二の主面（前記第一の主面１ａと反対側の主面）１ｂに、第二の接合材４を介して接合された第二の電極５とを備える。なお、半導体素子１の寸法は、素子の形状が多角形の場合は対辺長（対向する辺間の距離）が３．０〜７．５ｍｍ、円形の場合は直径が３．０〜７．５ｍｍである。
【００２１】
図１に示すように、第一の接合材２と第一の主面１ａの接合界面、および前記第二の接合材４と第二の主面１ｂの接合界面は、接合界面が存在する側の主面の外周縁から離間した内周側に形成されている。
【００２２】
また、半導体素子１の側面１ｃには、側面を一周する溝状の凹部が形成され、溝の上下には鋭角部１ｄおよび１ｅが形成されている。
【００２３】
また、第一の接合材２と第一主面１ａとの接合界面は、第一の主面１ａの表面に形成され、第二の接合材４と第二の主面１ｂの接合界面は、第二の主面１ｂの表面に形成され、これらは樹脂６により封止される。なお、樹脂６としては、エポキシ樹脂が望ましい。
【００２４】
図２は、半導体装置の従来のはんだ付け工程について説明する図であり、図２（ａ）ははんだ接合前の状態、図２（ｂ）ははんだ接合後の状態を示す。
【００２５】
半田接合に際しては、まず、治具（図面では省略している）を用いて、図２（ａ）に示すように、積層された半導体素子１、第一の電極３、第二の電極５、第一の接合材２、第二の接合材４の各軸を合わせ、一括して高温ではんだ付けを行い、次いで室温に戻す。  なお、半導体素子１の第一および第二の主面１ａおよび１ｂの全域にはメッキが施されており、また、第一の接合材２と第二の接合材４は、半導体素子１と同等以上の面積を有するため、はんだ接合後、第一の接合材２と第二の接合材４は図２（ｂ）に示すように第一の主面１ａと第二の主面１ｂの全域にぬれ広がる。
【００２６】
次に半導体素子の漏れ電流を低減するため、半導体素子１の側面をエッチングする。図３（ａ）は半導体装置のエッチング処理後の断面図であり、図３（ｂ）はその拡大図である。
【００２７】
エッチングに際しては、半導体素子１内に存在する不純物の濃度差によりエッチングレートに差が生じる。このため、図３（ｂ）に示すように、半導体素子１の側面１ｃの厚み方向中間部のエッチング速度は、第一の主面１ａおよび第二の主面１ｂ（厚み方向端部）よりも速くなる。これにより、半導体素子側面にはリング状に凹部（数十μｍ）が形成され、半導体素子の外周部表面には鋭角部１ｄおよび１ｅが形成される。
【００２８】
図４（ａ）（ｂ）（ｃ）は、前記半導体装置に熱処理を施し、熱処理により、高温から室温に冷却される際において各部材に加わる応力を説明する図である。
【００２９】
半導体素子１にはＳｉ（線膨張係数３×１０−６／℃）が、また、第一の電極３および第二の電極５には銅（線膨張係数１７×１０−６／℃）が使用されることが多い。このため、半導体素子１と第一の電極３の線膨張係数の差、および半導体素子１と第二の電極５の線膨張係数の差により反りが生じる。すなわち、半導体素子１は第一の電極３および第二の電極５に対して、それぞれ図４（ａ）および図４（ｂ）に示す矢印の向きに反ろうとする。その結果、半導体素子１には、冷却時に、図４（ｃ）に示すように、半導体素子１の第一の主面１ａと第二の主面１ｂでは反対方向の力が加わることになり、特に鋭角部１ｄおよび１ｅには応力集中により高い応力が発生する。
【００３０】
次に図１を用いて、本発明の効果を説明する。
【００３１】
本発明では、第一の接合材２と第一主面１ａの接合界面を、第一の主面１ａの内周側（接合界面が存在する側の主面の外周縁から離間した内周側）に形成し、第二の接合材４と第二の主面１ｂの接合界面を、第二の主面１ｂの内周側に形成する。接合界面をこのような位置に形成するには、接合前の第一の接合材２と第二の接合材４の量を適切に制御した上で適した治具を使用するか、半導体素子１の主面１ａおよび１ｂの端部にレジスト膜を形成するか、半導体素子１の主面１ａおよび１ｂの端部を除いてメッキを施しておけばよい。
【００３２】
図１に示すように、本実施形態によれば、第一の主面１ａおよび第二の主面１ｂの端部には、第一の接合材２および第二の接合材４はそれぞれ到達していない。そのため、半導体素子１と第一の電極３および第二の電極５の線膨張係数の差により、冷却時に生じる応力は、半導体素子側面１ｃ上下の鋭角部１ｄおよび１ｅには直接伝達されず、鋭角部１ｄおよび１ｅに印加される応力を低減することができる。このため、鋭角部１ｄおよび１ｅを起点とした半導体素子の割れの発生を防止することができる。また、鋭角部１ｄおよび１ｅの応力が低減するため、第二の電極の大型化が可能となり、熱抵抗を低下することができる。
【００３３】
また、半導体装置駆動時の熱は、半導体素子１の主面中央を中心に輸送される。本発明では、半導体素子１の主面中央部をはじめ、主面のほぼ全域が接合されているため、主面全域を接合した場合と比較して、熱抵抗は増加するが、増加の程度は小さくすることができる。
【００３４】
本実施形態によれば、半導体素子１の割れを防止できるほか、樹脂６で封止しているため、接合材２および４のひずみを抑制することが可能であり、半導体装置の長期信頼性を確保することができる。
【００３５】
また、本実施形態では、第二の電極５が半導体素子１よりも小さいため、第二の電極が半導体素子よりも大きな半導体装置と比較して、はんだ付け工程における、半導体素子１と第二の電極５のセンタリング精度と作業性を向上することができる。
【００３６】
図５は、割れの生じ易い側の主面（実験等により定める、図5(a)の例では１bであり，図5(b) の例では１aである）についてのみ、接合界面を主面の内部に形成した例を示す図である。
【００３７】
図５に示すように、第一の主面１ａおよび第二の主面１ｂの端部まで接合材が到達していても、鋭角部１ｄもしくは１ｅのどちらか一方のみに割れが生じる場合においては、割れ生じ易い側の主面についてのみ、接合界面を主面の内部に形成すればよい（第一の主面１ａと第一の接合材２との接合界面のみ第一の主面１ａの内部に形成し、第二の主面１ｂと第二の接合材４との接合界面は、第二の主面１ｂの内部に形成しなくてもよい）。
【００３８】
（実施形態２）
図６は、本発明の第２の実施形態を説明する図であり、図６（ａ）は本実施形態にかかる半導体装置の断面図、図６（ｂ）は半導体素子の側面近傍の拡大図である。
【００３９】
本実施形態においては、図６（ｂ）に示すように、前記半導体素子に形成された凹部の底部は、第一の主面１ａと第一の接合材２との接合界面および第二の主面１ｂと第二の接合材４との接合界面よりも外周側に配されている（第一の主面１ａと第一の接合材２との接合界面および第二の主面１ｂと第二の接合材４との接合界面を、半導体素子１の側面１ｃの第一の主面１ａおよび第二の主面１ｂへの投影面よりも内側に形成している）。
【００４０】
なお、半導体素子の凹に形成された凹部の底部は前記第一の接合材と第一の主面の接合界面、および前記第二の接合材と第二の主面の接合界面のうちの少なくとも一方よりも外周側に配されていればよい。
【００４１】
本実施例によれば、第一の接合材２と第二の接合材４は、それぞれ第一の主面１上の鋭角部１ｅ、および第二の主面１ｂ上の鋭角部１ｄに到達していない。そのため、第１の実施形態の場合よりも鋭角部１ｄおよび１ｅにおける応力が低減し、鋭角部１ｄあるいは１ｅを起点とした半導体素子の割れをより確実に防止することができる。
【００４２】
なお、第一の主面１ａおよび第二の主面１ｂ端部まで接合材が到達している場合で、鋭角部１ｄもしくは１ｅのどちらか一方のみに割れが生じる場合は、割れの生じ易い側の主面についてのみ、接合界面を主面の内部に形成すればよい。
【００４３】
図７Ａ、７Ｂ、７Ｃ、７Ｄ  は、本発明の第１および第２の実施形態にかかる半導体装置の平面図の例である（封止樹脂６は非表示）。
【００４４】
１枚のウェハから取り出せる半導体素子の個数は、半導体素子の面積が同一の場合、四角形、六角形、円形の順で少なくなる。このため、コストは、四角形、六角形、円形の順で高くなる。一方、半導体素子に印加される応力は、四角形、六角形、円形の順で低くなる。このため、応力とコストにはトレードオフの関係が存在する。従って、半導体素子１の形状は、半導体素子１に加わる応力と半導体装置のコストに応じて、円形、六角形、四角形のいずれを選択してもよい。
【００４５】
なお、図７Ａ〜７Ｃでは、第二の電極５の形状は、半導体素子１の形状と相似としているが、必ずしも相似である必要はなく、例えば図７Ｄのように、四角形の半導体素子１に対し、円形の電極５を使用することができる。この場合、はんだ付け工程時に電極５が回転しても半導体装置の完成形状に変化がないため、歩留まりが向上する。
【００４６】
（実施形態３）
図８（ａ）は本発明の第３の実施形態にかかる導体装置の断面図、図８（ｂ）は平面図である（封止樹脂６は非表示）。なお、図８（ａ）は、図８（ｂ）におけるＡ−Ａ’断面である。
【００４７】
本実施形態は、図８（ｂ）に示すように、第一の主面１ａと第一の接合材２との接合界面は、半導体素子１の角部においてのみ第一の主面１ａの内側に形成しており、第二の主面１ｂと第二の接合材４との接合界面は第二の主面１ｂの内側に形成している。それ以外の構成は第一の実施例と同様のため、説明は省略する。なお、図８では、半導体素子１は四角形であるが、六角形でも構わない。
【００４８】
本実施形態では、半導体素子１の応力が最も厳しくなる角部に形成された鋭角部にのみ、第一の接合材２と第二の接合材４が到達していない。そのため、実施形態１あるいは２と比較して、接合界面の面積および第二の電極５の体積をより一層大きくすることができ、熱抵抗をさらに低減することができる。
【００４９】
なお、第一の主面１ａと第二の主面１ｂ端部まで接合材が到達している場合に、鋭角部１ｄもしくは１ｅのどちらか一方のみに割れが生じる場合は、割れ生じ易い側の主面についてのみ、接合界面を主面の内部に形成すればよい。
【００５０】
また、図６に示す実施形態２と同様に、半導体素子１の角部において、第一の主面１ａと第一の接合材２との接合界面、および第二の主面１ｂと第二の接合材４との接合界面を、半導体素子１の側面１ｃに形成された凹部の底部よりも内周側に配置することにより、より確実に角部の半導体素子割れを防止できる。
【００５１】
（実施形態４）
図９は、本発明の第４の実施形態を説明する図である。
【００５２】
本実施形態では、図９に示すように、半導体素子１の側面と封止樹脂６の間に、パッシべーション用の第二の樹脂７（例えばポリイミド系樹脂）を配置する。
【００５３】
通常、封止樹脂６はエポキシ樹脂であり、第二の樹脂７はエポキシ樹脂よりも剛性が低いため、半導体側面で緩衝効果を奏し、樹脂封止後の半導体素子１に印加される応力をより低減することができる。また、半導体素子１と封止樹脂６と接着性の良い第二の樹脂７を配置することで、樹脂はく離をより防止できるため、信頼性をさらに向上することができる。
【００５４】
なお、第一の主面１ａと第二の主面１ｂ端部まで接合材が到達している場合に、鋭角部１ｄもしくは１ｅのどちらか一方のみに割れが生じる場合は、割れ生じ易い側の主面についてのみ、接合界面を主面の内部に形成すればよい。なお、第二の樹脂は、各実施形態に示す半導体装置に適用することができる。
【００５５】
以上説明したように、本発明の実施形態によれば、半導体素子と接合材との接合界面の拡大を抑制し、半導体素子主面の端部に接合材が到達しないようにしている。このため、前記半導体素子と前記電極の線膨張係数の差により、冷却時に生じる応力が半導体素子主面端部に直接伝達されることがない。このため、半導体素子主面端部の鋭角部に印加される応力が低減され、半導体素子の割れを防止することができる。
【符号の説明】
【００５６】
１  半導体素子
１ａ  第一の主面
１ｂ  第二の主面
１ｃ  半導体素子側面
１ｄ、１ｅ  半導体素子側面の鋭角部
２  第一の接合材
３  第一の電極
３ａ  第一の電極の面
４  第二の接合材
５  第二の電極
５ａ  第二の電極の端子部
６  封止樹脂
７  第二の樹脂
【図１】
2013187494.tif 000003
【図２】
2013187494.tif 000004
【図３】
2013187494.tif 000005
【図４】
2013187494.tif 000006
【図５】
2013187494.tif 000007
【図６】
2013187494.tif 000008
【図７Ａ】
2013187494.tif 000009
【図７Ｂ】
2013187494.tif 000010
【図７Ｃ】
2013187494.tif 000011
【図７Ｄ】
2013187494.tif 000012
【図８】
2013187494.tif 000013
【図９】
2013187494.tif 000014